(57)【要約】【課題】低色温度の光を生成する方法及び前記方法を導入した光を放出する装置を提供する。【解決手段】ＬＥＤと、ＬＥＤから放出された光により励起されることが可能な蛍光物質と、ＬＥＤと蛍光物質をカプセル内に包むためのコロイドのパッケージとを有し、前記コロイドのパッケージは、ＬＥＤを外部の電力供給源に接続するための鉛電極が備えられ、ＬＥＤの放出光のピーク波長が４６０ｎｍ〜５００ｎｍの範囲であり、励起された蛍光物質の放出光のピーク波長が５８０ｎｍ〜６３０ｎｍの範囲である、本発明は、ただ１つのチップ及び１種類の蛍光物質を用いて、ミニタイプのタングステンランプ又は高圧ナトリウムランプと同様の効果を奏し、省エネルギー、低コスト及び環境保護等に優れる低色温度光を生成する。本発明は、低色温度のＬＥＤランプの製造工程に広く用いられ、特に小ＬＥＤバルブを製造するのに用いられる。【選択図】図１
2009064999.tif 000002
【特許請求の範囲】
【請求項１】
低色温度の光を生成する方法であって、
ＬＥＤを照射し、ピーク波長が４６０ｎｍから５００ｎｍの範囲にある第一の波長の光（Ｂ）を放出するステップと、
蛍光物質が第一の波長の光（Ｂ）の一部を吸収して励起し、ピーク波長が５８０ｎｍから６３０ｎｍの範囲にある第二の波長の光（Ｒ）を放出するステップと、
第一の波長の光（Ｂ）を第二の波長の光（Ｒ）と混合し、低色温度の温かい光（Ｗ）を生成するステップとを有する方法。
【請求項２】
第一の波長の光のピーク波長が、４７０ｎｍから４８０ｎｍの範囲であって、第二の波長の光のピーク波長が６００±３ｎｍの範囲であることを特徴とする請求項１に記載の低色温度の光を生成する方法。
【請求項３】
第一の波長の光のピーク波長が、４８０ｎｍから４９０ｎｍの範囲であって、第二の波長の光のピーク波長が６１０±３ｎｍの範囲であることを特徴とする請求項１に記載の低色温度の光を生成する方法。
【請求項４】
第一の波長の光のピーク波長が、４７０ｎｍから４８０ｎｍの範囲であって、第二の波長の光のピーク波長が５９０±３ｎｍの範囲であることを特徴とする請求項１に記載の低色温度の光を生成する方法。
【請求項５】
第一の波長の光のピーク波長が、４８０ｎｍから４９５ｎｍの範囲であって、第二の波長の光のピーク波長が６００±３ｎｍの範囲であることを特徴とする請求項１に記載の低色温度の光を生成する方法。
【請求項６】
第一の波長の光のピーク波長が、４６０ｎｍから４７０ｎｍの範囲であって、第二の波長の光のピーク波長が５９０±３ｎｍの範囲であることを特徴とする請求項１に記載の低色温度の光を生成する方法。
【請求項７】
前記蛍光物質が一般式Ａ２ＳｉＯ４：Ｅｕ２＋，Ｄで表され、ＡがＳｒ，Ｃａ，Ｍｇ，Ｚｎ，Ｃｄ及びＩを含むグループから選ばれる元素の１つであって、ＤがＦ，Ｃｌ，Ｂｒ，Ｉ，Ｐ，Ｓ及びＮを含むグループから選ばれる元素の１つであることを特徴とする請求項１〜６のいずれかに記載の低色温度の光を生成する方法。
【請求項８】
請求項１に記載の方法を用いた低色温度の光のための光放出装置であって、
ケーシングとしてのコロイドのパッケージと、
コロイドのパッケージの内側に備えられた鉛電極と、
ＬＥＤとを有し、前記ＬＥＤは前記鉛電極に取り付けられ、かつ前記ＬＥＤの放出光によって励起可能な前記蛍光物質により覆われ、
前記ＬＥＤの放出光のピーク波長は、４６０ｎｍから５００ｎｍの範囲にあり、前記励起された蛍光物質の放出光のピーク波長の範囲が５８０ｎｍから６３０ｎｍの範囲にあることを特徴とする装置。
【請求項９】
前記ＬＥＤの放出光のピーク波長が、４７０ｎｍから４８０ｎｍの範囲であって、前記励起された蛍光物質の放出光のピーク波長が６００±３ｎｍの範囲であることを特徴とする請求項８に記載の低色温度の光のための光放出装置。
【請求項１０】
前記ＬＥＤの放出光のピーク波長が、４８０ｎｍから４９０ｎｍの範囲であって、前記励起された蛍光物質の放出光のピーク波長が６１０±３ｎｍの範囲であることを特徴とする請求項８に記載の低色温度の光のための光放出装置。
【請求項１１】
前記ＬＥＤの放出光のピーク波長が、４７０ｎｍから４８０ｎｍの範囲であって、前記励起された蛍光物質の放出光のピーク波長が５９０±３ｎｍの範囲であることを特徴とする請求項８に記載の低色温度の光のための光放出装置。
【請求項１２】
前記ＬＥＤの放出光のピーク波長が、４８０ｎｍから４９５ｎｍの範囲であって、前記励起された蛍光物質の放出光のピーク波長が６００±３ｎｍの範囲であることを特徴とする請求項８に記載の低色温度の光のための光放出装置。
【請求項１３】
前記ＬＥＤの放出光のピーク波長が、４６０ｎｍから４７０ｎｍの範囲であって、前記励起された蛍光物質の放出光のピーク波長が５９０±３ｎｍの範囲であることを特徴とする請求項８に記載の低色温度の光のための光放出装置。
【請求項１４】
前記鉛電極がカップ に備えられ、前記ＬＥＤが前記カップの内側に配されていることを特徴とする請求項８に記載の低色温度の光のための光放出装置。
【請求項１５】
前記カップが前記鉛電極と一体化していることを特徴とする請求項１４に記載の低色温度の光のための光放出装置。
【請求項１６】
前記カップの内側の壁が、光コンデンサーを形成することを特徴とする請求項１５に記載の低色温度の光のための光放出装置。  
【請求項１７】
前記蛍光物質が、前記カップの内側に濃縮されていて、ＬＥＤを覆っていることを特徴とする請求項１４〜１６のいずれかに記載の 低色温度の光のための光放出装置。
【請求項１８】
前記蛍光物質がコロイドのパッケージの中で混合されていることを特徴とする請求項８〜１６のいずれかに記載の低色温度の光のための光放出装置。
【請求項１９】
前記コロイドのパッケージの頂上が、 弓なりの突き出し、先細になる凹部又は平らであることを特徴とする請求項８〜１６のいずれかに記載の低色温度の光のための光放出装置。
【請求項２０】
前記コロイドのパッケージの頂上が、 弓なりの突き出し、先細になる凹部又は平らであることを特徴とする請求項１７に記載の低色温度の光のための光放出装置。
【請求項２１】
前記コロイドのパッケージの頂上が、 弓なりの突き出し、先細になる凹部又は平らであることを特徴とする請求項１８に記載の低色温度の光のための光放出装置。
【請求項２２】
前記蛍光物質が一般式Ａ２ＳｉＯ４：Ｅｕ２＋，Ｄで表され、ＡがＳｒ，Ｃａ，Ｍｇ，Ｚｎ，Ｃｄ及びＩを含むグループから選ばれる元素の１つであって、ＤがＦ，Ｃｌ，Ｂｒ，Ｉ，Ｐ，Ｓ及びＮを含むグループから選ばれる元素の１つであることを特徴とする請求項８〜１６に記載の低色温度の光を放出するための光放出装置。
【発明の詳細な説明】
【技術分野】
【０００１】
本発明は、ＬＥＤランプの光を生成する方法に関する、特に低色温度光を生成する方法に関する。
【０００２】
本発明は、さらに光放出装置に関する、特に低色温度光を放出する装置に関する。
【背景技術】
【０００３】
公知の単純なＬＥＤは、Ｐ型半導体、N型半導体及びそれらの間にＰ−Ｎ接合を有する。電流がＬＥＤを通過する時に、電荷担体（すなわち電子及びホール）がＰ−Ｎ接合に生ずる。エネルギーが、電子とキャビティの一緒になった光子の形で放出される。特定の化学物質がＰ−Ｎ接合に加えられ、特定の色の光がＬＥＤランプにより放出されることを可能とする。例えば、ＩｎＧａＮが用いられたとき、第一の波長の光が生じ、ＧａＮが用いられたとき、緑色の光が生ずる。ＬＥＤランプは、コロイドのパッケージから伸びる電源に接続するための陽極及び陰極を有するＬＥＤをカプセルに包む。ミニタイプのタングステンランプ及び蛍光灯ランプのような白色光のランプに較べて、ＬＥＤランプは、寿命が長く、省エネルギーで、信頼性と耐久性がより優れ、反応が早く、廃熱が少なく、大量生産に向いている等の利点を有する。
【０００４】
しかしながら、ＬＥＤランプの単一の波長の放出光は、特定の装飾状況にのみ用いることが可能である。それゆえ、混合色のＬＥＤランプを様々な状況で用いることは、この技術分野の会社の共通の目的である。そのようなＬＥＤランプを作成する方法は、単一な波長の光を数種類混合し、異なった状況下、望ましい色、例えば白色光、白色に近い光、琥珀色等を放出することであって、このことは、カラーパレット上で色を混ぜ、特定の色を作成することと似ている。特に、混合した光のＬＥＤを製造する公知の方法は、主に以下の通りである：
【０００５】
１．赤、緑及び青色のＬＥＤは、１つのバルブ中でカプセルに包まれ、外付けの回路が３色のＬＥＤの電力を調節するために備えられている。こうして、白色又は白色に近い光を得ることができる。この構造において、３つのＬＥＤの電力は、別々に制御されなくてはならないため、周辺回路の設計が非常に複雑で、費用がかかることになる。
【０００６】
２．第一の波長の光を放出するＬＥＤ（すなわち青色ＬＥＤ）及び第二の波長の光を放出するＬＥＤ（すなわち赤色ＬＥＤ）が用いられ、その２つのＬＥＤは黄色の蛍光物質で覆われる。第一の波長を有する光が、黄色の蛍光物質の上に照射した後、光の一部分は、黄色の蛍光物質を通過し、一方、残りの光は、黄色の蛍光物質内に残り、黄色の光を励起する。第一の波長の光（すなわち青色光）と第二の波長の光（すなわち赤色光）は黄色の光とともに混合され、白色光、又は白色に近い光を生成する。この構造において、ＬＥＤが第一の波長の光を放出するのに望ましい電圧とＬＥＤが第二の波長の光を放出するのに望ましい電圧とは非常に異なり、もし２つのＬＥＤを連続して結合すると、高い電圧が必要とされ、使用に不便であり、もし２つのＬＥＤが平行に接続されると、２つのＬＥＤのうち１つは、抵抗器に接続される必要があり、そのことは、製造過程を複雑にし、ＬＥＤランプの費用が高くなることになる。
【０００７】
３．紫外線ＬＥＤが用いられる。紫外線の放射が、ＬＥＤの赤、緑及び青のカバーの上に照射すると、赤色、緑色及び青色の光を生ずる。白色光又は白色に近い光は、赤色、緑色及び青色の光を混合することにより得られる。しかしながら、紫外線の放射がされると、非常に多くのエネルギーが放出され、蛍光物質の劣化を加速し、ＬＥＤの寿命を減少させ、さらに、紫外線の放射が蛍光物質の上に照射した後、有害な物質が放出される。
【０００８】
さらに、上記の方法は、放出光が相対的に高い色温度を有するという同じ問題を有し、ミニタイプのタングステンランプ又は高圧ナトリウムランプから放出される低い色温度の光により生じる温かい感覚を有さない冷たい光となる。
【発明の開示】
【発明が解決しようとする課題】
【０００９】
本発明の目的は、低色温度の光を生成する方法を提供するものであり、その方法において、低い色温度の温かい光が提供され、その方法は、低コスト、省エネルギー、長寿命の装置によって実施される。
【課題を解決するための手段】
【００１０】
本発明の上記の目的は、以下の技術的解決により達成される。
低色温度の光を生成する方法であって、
a)ピーク波長が、４６０ｎｍから５００ｎｍの第一の波長の光が，ＬＥＤから放出されるステップと、
ｂ）第一の波長の光の一部が、蛍光物質により吸収され、ピーク波長が５８０ｎｍから６３０ｎｍの間の第二の波長の光を発生させるステップと、
ｃ）吸収されなかった第一の波長の光の残りは、第二の波長の光と混合し、低色温度の光を生ずるステップとを有する方法である。
【００１１】
本発明のその他の目的は、上述の方法を用いた低色温度の光のための光放出装置を提供することである。
本発明の上述のその他の目的は、以下の技術的解決により達成される。
【００１２】
低色温度の光のための光放出装置は、ケーシングとしてのコロイドのパッケージと、鉛電極とを有し、前記鉛電極はコロイドのパッケージの内側に備えられ、さらに、ＬＥＤとを有し、前記ＬＥＤは前記鉛電極に取り付けられ、ＬＥＤの放出光により励起されることの可能な蛍光物質で覆われ、ＬＥＤの放出光のピーク波長は、４６０ｎｍから５００ｎｍの間であり、励起蛍光物質の放出光のピーク波長は、５８０ｎｍから６３０ｎｍの間であることを特徴とする。
【００１３】
以下の表は、本発明の装置とミニタイプのタングステンランプのテスト結果を示す。
【００１４】
【表１】
2009064999.tif 000003
【００１５】
表からわかるように、ＣＩＥ色度ダイヤグラムの座標と本発明の混合光の色温度は、ミニタイプのタングステンランプのものと非常に近似している。しかしながら、本発明の光の効率は、ミニタイプのタングステンランプの１０倍である。さらに、３つのチップを用いたＬＥＤランプに比較して、本発明は、ただ１つのＬＥＤを用い、費用を押さえ、制御回路を単純化する。ＬＥＤの放出光のピーク波長は、４６０ｎｍから５００ｎｍの間である。放出されたエネルギーは、比較的低く、蛍光物質の安易な劣化を防ぐことが可能であり、有害な物質が放出されることなく、健康と環境にやさしい。
【００１６】
結論として、本発明は低色温度であり、低コストであり、省エネルギーであり、環境保護であり、長寿命である点等が優れている。
【００１７】
さらに、本発明は以下の技術的解決によりさらに改善されることが可能である。
【００１８】
ＬＥＤの放出光のピーク波長は４７０ｎｍから４８０ｎｍの間であり、励起された蛍光物質の放出光のピーク波長は、６００±３ｎｍである。テストに示すように、これらのパラメータを有するＬＥＤ及び蛍光物質を伴って、生じた低色温度光の色温度は１９００Ｋ−２１００Ｋの間である。低色温度光の色度座標は、ＣＩＥ色度ダイヤグラムの座標が（０．４８，０．３９），（０．４８，０．４３），（０．５３，０．４４），（０．５３，０．４１）で定義される領域にある。
【００１９】
ＬＥＤの放出光のピーク波長は、４８０ｎｍから４９０ｎｍの間であり、励起された蛍光物質の放出光のピーク波長は、６１０±３ｎｍである。テストに示すように、これらのパラメータを有するＬＥＤ及び蛍光物質を伴って、生じた低色温度光の色温度は１９００Ｋ−２１００Ｋの間である。低色温度光の色度座標は、ＣＩＥ色度ダイヤグラムの座標が（０．４８，０．３９），（０．４８，０．４３），（０．５３，０．４４），（０．５３，０．４１）で定義される領域にある。
【００２０】
ＬＥＤの放出光のピーク波長は、４７０ｎｍから４８０ｎｍの間であり、励起された蛍光物質の放出光のピーク波長は、５９０±３ｎｍである。テストに示すように、これらのパラメータを有するＬＥＤ及び蛍光物質を伴って、生じた低色温度光の色温度は２１００Ｋ−２３００Ｋの間である。低色温度光の色度座標は、ＣＩＥ色度ダイヤグラムの座標が（０．４８，０．３９），（０．４８，０．４３），（０．５３，０．４４），（０．５３，０．４１）で定義される領域にある。
【００２１】
ＬＥＤの放出光のピーク波長は、４６０ｎｍから４７０ｎｍの間であり、励起された蛍光物質の放出光のピーク波長は、５９０±３ｎｍである。テストに示すように、これらのパラメータを有するＬＥＤ及び蛍光物質を伴って、生じた低色温度光の色温度は２１００Ｋ−２３００Ｋの間である。低色温度光の色度座標は、ＣＩＥ色度ダイヤグラムの座標が（０．４８，０．３９），（０．４８，０．４３），（０．５３，０．４４），（０．５３，０．４１）で定義される領域にある。
【００２２】
ＬＥＤの放出光のピーク波長は、４６０ｎｍから４７０ｎｍの間であり、励起された蛍光物質の放出光のピーク波長は、５９０±３ｎｍである。テストに示すように、これらのパラメータを有するＬＥＤ及び蛍光物質を伴って、生じた低色温度光の色温度は約２１００Ｋである。低色温度光の色度座標は、ＣＩＥ色度ダイヤグラムの座標が（０．４３，０．３６），（０．４３，０．４４），（０．５１，０．４０），（０．５１，０．３４）で定義される領域にある。
【００２３】
コロイドのパッケージの内側には、カップがあり、そのカップの上にはＬＥＤが取り付けられていて、ＬＥＤは、カプセルに包まれる前、しっかりと固定され、カプセル化工程を容易にし、大量生産の可能性を高める。
【００２４】
カップの内側の壁は、光のコンデンサーを形成し、光ビームが一つの方向に放出される。
【００２５】
蛍光物質は、カップの中に濃縮され、ＬＥＤを覆い、量が節約される。
【００２６】
図１を参照すると、低色温度光を放出する装置は、エポキシ樹脂又はその他のプラスチック材料のコロイドのパッケージ１から形成されたケーシングを有する。 コロイドのパッケージ１は、内側にＬＥＤ４を備える。ＬＥＤ４は、支持され、鉛電極２により供給された外部からの電力供給源に接続されている。第一の波長の光Ｂは、ピーク波長が４６０ｎｍから５００ｎｍの間で、ＬＥＤから放出される。ＬＥＤは、一般式Ａ２ＳｉＯ４：Ｅｕ２＋，Ｄで表される蛍光物質５によって覆われている。 ここで、Ａは、Ｓｒ，Ｃａ，Ｍｇ，Ｚｎ，Ｃｄ及びＩを含むグループから選ばれた元素の一つであり、Ｄは、Ｆ，Ｃｌ，Ｂｒ，Ｉ，Ｐ，Ｓ及びＮを含むグループから選ばれた元素の一つである。
【００２７】
蛍光物質５は、第一の波長の光Ｂの一部を吸収することができ、励起して、ピーク波長が５９０ｎｍから６３０ｎｍの間である第二の波長の光Ｒを生じる。鉛電極２が、電力供給源に接続された後、ＬＥＤは第一の波長の光Ｂを放出し、その一部分は、蛍光物質５を通過し、その他の部分は、蛍光物質５に吸収され、第二の波長の光Rを生じる。第二の波長の光Rは、蛍光物質５によって吸収されなかった第一の波長の光Bと混合し、低色温度光Wを生じる。光を混合する原理は、図６に示されている。テストに示すように、上述の技術的解決を用いることによって、ＬＥＤによって放出された低色温度の光の色度を調整することは、ＣＩＥ色度ダイヤグラムの座標が以下の点になることにより定義づけられる：（０．４３，０．３３）、（０．４３，０．３８）、（０．５４，０．３３）、（０．５４，０．４４）。これらは、図５の「a」領域に示され、色温度は約１６００Ｋから約２５００Ｋの間である。この領域で混合した光は、若干赤みのあるオレンジを伴った低色温度光であり、人々に温かい感じを与え、特に家庭や通りの灯りのように温かい色が必要とされる状況に適する。
【００２８】
上述の波長を有するＬＥＤ４及び蛍光物質５の中で、異なったピーク波長を有する異なったＬＥＤ４が選ばれ、異なった蛍光物質５と協同して、異なった色と異なった色温度を有する低色温度光を生ずる。
【００２９】
例えば、ＬＥＤ４から放出された光のピーク波長が４７０〜４８０ｎｍの間で、励起された蛍光物質５から放出された光のピーク波長が６００±３ｎｍで、得られた低色温度光が、１９００Ｋから２１００Ｋの間の色温度であり、その領域は、ＣＩＥ色度ダイヤグラムの座標は以下の点になることにより定義づけられる：図５の「ｃ」領域に示される（０．４８，０．３９）、（０．４８，０．４３）、（０．５３，０．４４）、（０．５３，０．４１）。この領域の光色は、小ＬＥＤバルブ色を有する既存のミニタイプのタングステンランプを置換するためのデュラライト（商標）を製造するのに特に適した小ＬＥＤバルブの色を表す。
【００３０】
ＬＥＤ４から放出された光のピーク波長が４８０〜４９０ｎｍの間で、励起された蛍光物質５から放出された光のピーク波長が６１０±３ｎｍで、得られた低色温度光が、１９００Ｋから２１００Ｋの間の色温度であり、その領域は、ＣＩＥ色度ダイヤグラムの座標が図５の「ｃ」領域に示される（０．４８，０．３９）、（０．４８，０．４３）、（０．５３，０．４４）、（０．５３，０．４１）の領域にある。この領域の光色は、小ＬＥＤバルブ色を有する既存のミニタイプのタングステンランプを置換するためのデュラライト（商標）を製造するのに特に適した小ＬＥＤバルブの色を表す。
【００３１】
ＬＥＤ４から放出された光のピーク波長が４７０〜４８０ｎｍの間で、励起された蛍光５から放出された光のピーク波長が５９０±３ｎｍで、得られた低色温度光が、２１００Ｋから２３００Ｋの間の色温度であり、その領域は、ＣＩＥ色度ダイヤグラムの座標が、図５の「ｃ」領域に示される（０．４８，０．３９）、（０．４８，０．４３）、（０．５３，０．４４）、（０．５３，０．４１）の領域にある。この領域の光色は、公知のミニタイプのタングステンランプをシャンパン色の光色で置換するのに特に適したシャンパン色である。  
【００３２】
ＬＥＤ４から放出された光のピーク波長が４８０〜４９５ｎｍの間で、励起された蛍光５から放出された光のピーク波長が６００±３ｎｍで、得られた低色温度光が、２１００Ｋから２３００Ｋの間の色温度であり、その領域は、ＣＩＥ色度ダイヤグラムの座標が、図５の「ｃ」領域に示される（０．４８，０．３９）、（０．４８，０．４３）、（０．５３，０．４４）、（０．５３，０．４１）の領域にある。この領域の光色は、公知のミニタイプのタングステンランプをシャンパン色の光色で置換するのに特に適したシャンパン色である。
【００３３】
ＬＥＤ４から放出された光のピーク波長が４６０〜４７０ｎｍの間で、励起された蛍光物質５から放出された光のピーク波長が５９０±３ｎｍで、得られた低色温度光が、約２１００Ｋであり、その領域は、ＣＩＥ色度ダイヤグラムの座標は以下の点になることにより定義づけられる：図５の「ｂ」領域に示される（０．４３，０．３６）、（０．４３，０．３４）、（０．５１，０．４０）、（０．５１，０．３４）。この領域の光色温度は、高圧ナトリウムランプ（約２０００Ｋ）のものに類似しており、特に、公知の高圧ナトリウムランプの代わりに通りのランプに用いるのに適する。
【００３４】
上記のＣＩＥ色度ダイヤグラムの光の座標は、光スペクトルアナライザにより、多くのサンプルを試験することによって得られる。製造過程における光の色に対する数値の離散性及びその他の要因を考えると、座標領域は、中心の代表的なテスト結果により定義づけられ、絶対的なものではない、その結果、テストの結果のいくつかは、ＣＩＥ色度ダイヤグラムの光の座標の外に外れることもある。
【００３５】
ＬＥＤ４は、直接鉛電極に接続され、それからエポキシ樹脂のようなコロイドのカプセルに包まれていてもよい。あるいは、ＬＥＤ４は、鉛電極２の頂上にあるカップ２１の内側に穴開け又は溶接により配されており、ＬＥＤ４は、ワイヤにより鉛電極２に接続されており、鉛電極２及びＬＥＤ４の一体化を高め、ＬＥＤ４を保護する。
【００３６】
カップ２１は、トランペットの形状をしており、内側の壁に反射材料を備える。あるいは、カップの内側の壁は、反射能力を備えるため、磨かれている。それ故、カップ２１は光コンデンサーを形成し、こうして光は１つの方向に放出されることが可能である。
【００３７】
ＬＥＤ４がカップ２１に配された後、蛍光物質５は、カップ２１に注入され、ＬＥＤ４をカバーし、その後カプセル化が行なわれる。あるいは、蛍光物質５はカプセル化グルー溶液にあらかじめ混合されており、ＬＥＤ４と鉛電極がカプセル化されるときに、図４に示すように、蛍光物質５は、ＬＥＤ４をカバーするコロイド１のパッケージ中に分配される。
【００３８】
さらに、コロイド１のパッケージの頂上１１の構造を変えることにより異なった方向に光が放出される。例えば、図１に示すように、コロイド１のパッケージの頂上１１は、円弧形状であるようにデザインされ、その結果、コロイド１のパッケージ中のスポット光源から放射された光が、円弧形状の頂上１１により反射された後、平行な光が得られる。図３に示すように、コロイド１のパッケージの頂上１１は、凹形状にデザインされていてもよく、コロイド１のパッケージ中のスポット光源から放射された光が、頂上１１の凹形状によって反射された後、拡散した光が得られる。図４に示すように、コロイド１のパッケージの頂上１１は平らに デザインされ、コロイド１のパッケージ中のスポット光源から放射された光が平らな頂上１１反射された後、発散する光がある程度得られる。
【図面の簡単な説明】
【００３９】
本発明の構造的及び操作上の特徴及び公知技術に較べて優れた点が、以上の説明によち理解されるであろう、以下の図面は、改良された構造のポットの例を図示したものであるが、限定したものではない。
【図１】本発明の一態様における光放出装置の第一の構造の図である。
【図２】本発明の一態様における光放出装置の第二の構造の図である。
【図３】本発明の一態様における光放出装置の第三の構造の図である。
【図４】本発明の一態様における光放出装置の第四の構造の図である。
【図５】本発明の一態様における光放出装置により放出された温かい白色光の位置を示すダイヤグラムである。
【図６】本発明の一態様における光放出装置の光混合過程を示す構造の図である。
【図１】
2009064999.tif 000004
【図２】
2009064999.tif 000005
【図３】
2009064999.tif 000006
【図４】
2009064999.tif 000007
【図５】
2009064999.tif 000008
【図６】
2009064999.tif 000009
【外国語明細書】
2009064999.tif 000010
2009064999.tif 000011
2009064999.tif 000012
2009064999.tif 000013
2009064999.tif 000014
2009064999.tif 000015
2009064999.tif 000016
2009064999.tif 000017
2009064999.tif 000018
2009064999.tif 000019
2009064999.tif 000020
2009064999.tif 000021
2009064999.tif 000022
1 Abstract
2009064999.tif 000023
2. Representative Drawing
Fig. 1
2009064999.tif 000024
FIG. 1
2009064999.tif 000025
FIG. 2
2009064999.tif 000026
FIG. 3
2009064999.tif 000027
FIG. ４
2009064999.tif 000028
FIG. 5
2009064999.tif 000029
FIG. 6